(57)【特許請求の範囲】
【請求項１】
容器本体に導出させる吸上げチューブ等に通じる噴射口の周囲に、磁束ギャップを形成した永久磁石を添設して、該磁束ギャップ内に上記噴射口を配置させるとともに、液状物を充填させた本体容器に着脱可能に結合させる取付部を設けた構造にしたことを特徴とする磁化噴射スプレーノズル。
【請求項２】
請求項１において、
上記磁束ギャップは、上記永久磁石に接続付加された磁性体ヨークに形成した隙間として構成されていることを特徴とする磁化噴射スプレーノズル。
【請求項３】
請求項１または２において、
上記磁束ギャップの磁束密度は、６０００ガウス以上であることを特徴とする磁化噴射スプレーノズル。
【請求項４】
請求項１〜３のいずれかに記載の磁化噴射スプレーノズルを備えたことを特徴とするスプレー容器。
【請求項５】
請求項４において、
上記容器本体には、化粧水、化粧用乳液等の化粧用液状物、あるいは塗料用液状物を充填したことを特徴とするスプレー容器。
【発明の詳細な説明】
【技術分野】
【０００１】
本発明は、液状物を強い磁場に通過させることで、その液状物中の分子構造に変化を与え（以下、「磁化」と呼ぶ。）、瞬間的に活性化された状態で上記液状物を噴射できる新規な磁化噴射スプレーノズルと、この磁化噴射スプレーノズルを用いたスプレー容器に関する。
【背景技術】
【０００２】
従来より、噴射ノズルや操作部を押圧することにより、容器本体内に充填されている液状物を上記噴射ノズルまで吸上げて、被噴射体に向けて噴射させるため、様々な構造のスプレー容器が提案されている（例えば、特許文献１、２などがある）が、いずれにも上記液状物を磁化して、活性化させた状態で噴射させるようなものは存在しない。
【特許文献１】特開平１０−１３７６３２号
【特許文献２】特開平１１−２６３３８６号
【発明の開示】
【発明が解決しようとする課題】
【０００３】
化粧水や、乳液などを肌に使用する場合、通常は、容器本体内に充填されている化粧水や乳液を適量だけ手にとってから特定部位に塗布したり、あるいはスプレー容器に入っているものは、そのまま特定部位に噴霧するが、これらの液状物は、一般に固有の分子構造が、不規則な配列状態で塊（クラスターの状態）となって結合しているため、そのままの状態で塗布されたり、噴霧されたときには、肌への浸透性はさほど良好ではなく、それらの液状物の効果を十分に引き出して使用することはできず、前述した特許文献１、２も、この点については何ら考慮されていない。
【０００４】
そこで、本発明者は、このような化粧水や乳液などを、それらの本来の性質を阻害することなく、肌に効率よく浸透させることが出来ないかどうかを鋭意研究した結果、噴射された液状物のクラスターを細分化することができ、更に水分子の結合を弱めて（或いは切り離して）、配列方向を整え、その結果として、液状物の溶解力や浸透力を向上させることができ、液状物が本来的に有している特性を十分に発揮できることを判明し、本発明の開発に至ったものである。
【０００５】
例えば、水分子に磁力を与えたときには、水の表面張力が変化するという現象自体は良く知られているが、この表面張力が変化したときの水の分子配列構造は規則的である。
【０００６】
また、磁力が付与された液体等の分子構造は、その磁力の影響を受けなくなれば、短い時間で元に戻ってしまうため、容器本体内に充填され、静止状態にある液体等に磁力を与えるだけでは、液状物等の保有する効果を強化するには十分でないことも判った。
【０００７】
本発明は、かかる課題を解決することを目的とし、更に鋭意研究を進めて開発されたものであって、容器本体内に充填されている液状物を、噴射する直前状態のときに強い磁場を通して磁化すれば、上記液状物のクラスターを細分化するだけでなく、噴霧された液状物を更に細かく分散化し、液状物が本来的に有している特性を強化させて、肌や被噴射体に対して活性化した状態で噴射供給できることを知得した結果、本発明に到達し、新規な構造の磁化噴射スプレーノズルと、その磁化噴射スプレーノズルの基本原理を利用したスプレー容器を提供するものである。
【課題を解決するための手段】
【０００８】
上記目的を達成するため、請求項１で提案される磁化噴射スプレーノズルは、容器本体に導出させる吸上げチューブ等に通じる噴射口の周囲に、磁束ギャップを形成した永久磁石を添設して、該磁束ギャップ内に上記噴射口を配置させるとともに、液状物を充填させた本体容器に着脱可能に結合させる取付部を設けた構造にしたことを特徴としている。  
【０００９】
ここで、磁化とは、一般には、金属が磁性を帯びた状態を言うが、本明細書中では、液状物を強い磁場に通過させることで、その液状物中の分子構造に変化が与えられて瞬間的に活性化された状態を意味する。
【００１０】
このものでは、液状物が噴射される直前状態の早い速度で通過するときに強い磁場を作用させて磁化することによって、液状物中の水素と結合している水分子の酸素原子が電磁波エネルギーを受けて共鳴し、電磁波エネルギーを吸収し、更に磁場により起電力（ローレンツ力）を発生させて、イオンを激しく衝突させるなどして、水分子同士の集合が切り離れ、或いは、弱めて活性化する。
【００１１】
その結果、容器本体から吸い上げられた液状物は、クラスターが細分化されるだけでなく、浸透力がより一層高められた状態で噴射されより一層、液状物が本来的に有している特性を十分に引き出して使用することができる。
【００１２】
請求項２に係る磁化噴射スプレーノズルは、請求項１において、永久磁石には、磁性体ヨークが付加接続され、その磁性体ヨークに磁束ギャップとなる隙間を形成して、その磁束ギャップに噴射口を配置する構成としている。
【００１３】
このものでは、加工の容易な磁性体ヨークを用いることで、永久磁石の磁束をより一層噴射口に集中させることができ、噴射直前の液状物に最大限の磁場を作用させることができる。
【００１４】
請求項３では、請求項１または２において、永久磁石の磁束ギャップは、６０００ガウス以上のものを用いている。
【００１５】
請求項４では、請求項１〜３のいずれかに記載の磁化噴射スプレーノズルを用いたスプレー容器が提案されている。
このものでは、容器本体内の液状物が噴射される直前状態のときに強い磁場を通して磁化することによって、水素と結合している水分子の酸素原子が電磁波エネルギーを受けて共鳴し、電磁波エネルギーを吸収し、更に磁場により起電力（ローレンツ力）を発生させて、イオンを激しく衝突させるなどして、水分子同士の集合が切り離れ、或いは弱まるために活性化する。
【００１６】
その結果、容器本体から吸い上げられた液状物は、クラスターが細分化されるだけでなく、浸透力がより一層高められた状態で噴射されより一層、液状物が本来的に有している特性を十分に引き出して使用することができる。
【００１７】
請求項５では、請求項４において、上記容器本体には、化粧水、化粧用乳液等の化粧用液状物、あるいは塗料用液状物を充填したことを特徴とする。
【００１８】
このものでは、化粧用液状物や塗料液状物を噴霧する際には、活性化された液状物を広い範囲に亘って、より細かい霧粒子に分散させて噴射できるので、皮膚表面からの浸透を高めることができ、また、塗装を対象面にムラなく綺麗に仕上ることができる。
【発明の効果】
【００１９】
本発明によれば、次のような効果がある。  本発明の請求項１〜５に係る磁化噴射スプレーノズル、スプレー容器によれば、霧状態に分散されて高速で噴射される液状物に強い磁力を与える構造にしているので、水素と結合している水分子の酸素原子が電磁波エネルギーを受けて共鳴し、電磁波エネルギーを吸収し、更に磁場により起電力（ローレンツ力）を発生させて、イオンを激しく衝突させるなどして、水分子同士の集合が切り離されて活性化する。その結果、容器本体から吸い上げられた液状物は、クラスターが細分化されるだけでなく、更に水分子の結合を弱めて（或いは切り離して）、配列方向を整えた状態で噴射されるので、浸透力がより一層高められた状態で被噴射体に噴射することができ、被噴射体に対する上記液状物の効果を高めることができる。
【００２０】
また、特に請求項２では、磁性体ヨークを用いて永久磁石の磁束ギャップを構成しているので、そこに磁束を集中させてより磁束密度の高い磁場を簡易に形成でき、噴射直前状態にある液状物に最大限の磁場を作用させることができる。
【００２１】
更に、請求項５に係るスプレー容器によれば、化粧用液状物や塗料液状物を噴霧する際には、活性化された液状物を広い範囲に亘ってより細かい霧粒子に分散させて噴射できるので、皮膚表面からの浸透を高めることができ、また、塗装を対象面にムラなく綺麗に仕上ることができる。
【発明を実施するための最良の形態】
【００２２】
以下、本発明に係る磁化噴射スプレーノズル、これを用いたスプレー容器を図面とともに説明する。
【実施例】
【００２３】
図１は、永久磁石を用いた磁化噴射スプレーノズル２、スプレー容器Ａの基本構造を示す縦断面図である。
この図１に示すスプレーノズル２、スプレー容器Ａは、永久磁石の配置構造を除いて、本発明においても適用されるので、最初にこれらを参考例として説明し、その後、本発明の要部となる永久磁石と、磁束ギャップ、噴射口の配置構成を説明する。
【００２４】
このスプレー容器Ａは、容器本体１に設けた磁化噴射スプレーノズル２を下方に向けて押圧操作することにより、容器本体１内に充填されている液状物Ｂを吸上げチューブ２３で吸上げ、噴射口２４より被噴射体（不図示）に向けて噴射するものである。
【００２５】
容器本体１は、合成樹脂、ガラス、金属などで形成された既存のものを使用することができ、容器本体１の上端には、磁化噴射スプレーノズル２と着脱可能な被取付部１１を形成している。
【００２６】
磁化噴射スプレーノズル２は、容器本体１と着脱可能な取付部２１を形成し、ここでは、係合部１１と取付部２１が、螺合によって着脱可能にした構造のものを示している。
【００２７】
また、磁化噴射スプレーノズル２には、容器本体１に導出させる吸上げチューブ２３に通じる液状物流通路２２が形成され、この液状物流通路２２を磁力が横断するように永久磁石３を添設し、液状物流通路２２の噴射口２４近傍に磁場を集中させるようにしている。
【００２８】
ここで、磁場とは、磁界と同義であり、永久磁石の回りに存在する力の場をいい、この場の磁力線は、常に閉曲線となる。なお、上記磁力線は、Ｎ極からＳ極に向けて一定に流れるように形成されることは言うまでもない。
【００２９】
永久磁石３としては、希土類系などの永久磁石を用いており、電気的な配線を不用にして、簡単且つ小型化される構造にしている。
【００３０】
また、永久磁石３は、液状物流通路２２の一部を横断するように構成しているが、その磁束密度は、６０００ガウス以上を確保できる希土類系の永久磁石を用いるのが良く、この程度の強力な磁力を生じる永久磁石３であれば、噴射直前の液状物Ｂの分子構造を、同方向に確実に配列できる。
【００３１】
上記のように構成したスプレー容器Ａは、以下の要領で使用する。
【００３２】
先ず、磁化噴射スプレーノズル２の噴射口２４を被噴射体である皮膚表面などに向け、磁化噴射スプレーノズル２の上端を押圧操作すれば、そのポンプ機構によって、容器本体１内の液状物Ｂ（例えば、化粧水、化粧乳液など）が吸上げチューブ２３下端から吸い上げられる。
【００３３】
そして、吸い上げられた液状物Ｂは、前方にある液状物流通路２２を早い流速で通過することになるが、このとき、永久磁石３による磁場を通過する。
【００３４】
ついで、本発明の要部をなす、永久磁石３と噴射口との位置関係を示す。
図３及び図４は、永久磁石３と噴射口との関係を示す要部説明図であり、図３（ａ）、（ｂ）では、永久磁石３に、磁束ギャップＧを形成した磁性体ヨークＹを付加接続し、この磁束ギャップＧに磁場を集中させる構造のものを示している。
【００３５】
ここで、図１、図２と共通する部位には、同一の番号を付し、その説明は省略する。
【００３６】
図３（ａ）〜（ｄ）は、横断面扇状の永久磁石３を複数個使用した組み合わせ構成例を示す要部説明図であり、図４（ａ）、（ｂ）は、縦断面矩形状の永久磁石の組み合わせ構成例を示す要部説明図である。
【００３７】
図３（ａ）及び（ｂ）では、２つの扇状磁石の外周全体又は一部に、磁束ギャップＧとなる隙間を形成して分断させた磁性体ヨークＹを接続したものを示しており、この磁束ギャップＧに噴射口２４を配置することで、永久磁石３による磁束を噴射口２４に集中させて、噴射口２４から噴射される直前の液状物Ｂに最大限の磁場を作用することができる。
【００３８】
また、図３（ｃ）では、複数の扇状磁石を組み合わせ連結したものを示しており、上記のような磁性体ヨークＹを用いることなく、磁石のない隙間を磁束ギャップＧとして、そこに噴射口２４を配置させる構造のものを示している。
【００３９】
図３（ｄ）では、扇状磁石を連結して、永久磁石３に磁束ギャップＧを形成したその他のものを例示しており、所望の磁力に応じて、様々な連結構造による永久磁石３が形成可能であることを例示している。
【００４０】
また、図４（ａ）、（ｂ）では、縦断面矩形状の永久磁石３に上記同様、磁性体ヨークＹを設けた様々なものを例示している。
【００４１】
本発明では、磁場を通る水の流れが速いほど分子間結合を分裂させる効果が高いことに鑑み、磁化噴射スプレーノズル２の噴霧作用によって水を高速で分散させながら、強い磁場内を通過させることで、単に放出流に磁場を作用させる場合に比べて、クラスターを細分化する効果が著しく高く、また、同時に水分子の配列方向をも磁化によって整合する。
【００４２】
さらに、水分子が活性化されるために水に溶け込んでいる酸素が還元され、酸化が抑制される効果もある。
特に、磁性体ヨークを用いて永久磁石３内部を通る磁力を磁性体ヨークＹに導き、そこに形成した磁束ギャップＧに噴射口２４を配置する構造のものでは、噴射の直前から磁場を作用させ、更に高速で噴霧分散させる直前の液状物Ｂに集中した磁束を作用させることが出来るので、静止された液状物や通常の水道水からの自然放出流に磁場を作用させる場合に比べて、より水分子のクラスターを細分化する効果が高く、水分子を活性化できる。
【００４３】
したがって、この磁場を通過する際、液状物Ｂ中に含まれる水分子の構造（或いは電子構造）には、強い磁力が作用するので、液状物Ｂのクラスターを細分化するとともに、図２（ａ）、（ｂ）に示すように、水分子の結合を弱めて（或いは切り離して）、配列方向を整え、不規則に配列されていたものが、永久磁石３の磁界方向に向けて、同方向に配列される。
【００４４】
そして、このような規則的に水分子構造が配列された状態で液状物Ｂを噴射口２４から被噴射体（不図示）に向けて噴射するため、噴射直後の液状物Ｂは、その浸透圧が高められた状態で被噴射体（例えば、皮膚表面）に噴射することができ、被噴射体に対する液状物（例えば、化粧水、化粧乳液など）Ｂの浸透効果を高め、これらの液状物Ｂの効果を十分に引き出すことができる。
【００４５】
また、噴射口２４から噴射された瞬間の液状物Ｂは、霧状に細かく、且つ、それぞれの分子間の結合力が弱い状態となっているうえに磁化されているので、遠心力による霧を広げる原理を利用した従来のスプレーヘッドよりも霧の一粒一粒を非常に細かくできるため、この細かい一粒の表面張力が低いために、玉状にならずに表面に膜状になり、若しくは毛穴に入り込んで浸透効果を高め、これらの液状物Ｂの効果を十分に引き出すこともできる。
【００４６】
上記化粧用液状物Ｂとして、整髪用液状物（シャンプー、ヘアートリートメント等）でも同様の効果を得ることができ、更に、塗装用の塗料液状物Ｂを用いることもできる。
この塗料液状物Ｂを噴霧する際には、活性化された液状物を広い範囲に亘って、より細かい霧粒子に分散させて噴射できるので、塗装を対象面（自動車表面等）にムラなく綺麗に仕上ることができる。なお、その他の液状物Ｂとしては、農薬散布剤、ステロイド剤等の薬剤を用いることも可能である。
【図面の簡単な説明】
【００４７】
【図１】永久磁石による磁場を作用させる磁化噴射スプレーノズル、スプレー容器の基本構造を、本発明の参考例として示す縦断面図である。
【図２】（ａ）、（ｂ）は、本発明における液状物中の水分子の構造変化の様子を示した概略図である。
【図３】（ａ）〜（ｄ）は、本発明の要部をなす永久磁石と、噴射口との配置される磁束ギャップとの位置関係を示す説明図である。
【図４】（ａ）、（ｂ）は、本発明の要部をなす永久磁石と、噴射口との配置される磁束ギャップとの位置関係を示す他例の説明図である。
【符号の説明】
【００４８】
Ａ    スプレー容器
Ｂ    液状物
Ｇ    磁束ギャップ
１    容器本体
２    噴射ノズル
２１  取付部
２２  液状物流通路
２４  噴射口
３    永久磁石
【図１】
0003822606.tif 000002
【図２】
0003822606.tif 000003
【図３】
0003822606.tif 000004
【図４】
0003822606.tif 000005